(57)【要約】【課題】複数の電圧系を有する装置のコントローラ全般に関して、大掛かりな装置・環境と莫大な手間を必要とするオシロスコープを用いずに、構成を簡素化したシステムで誰でも手軽・迅速に電源シーケンスの観測を可能とする電源シーケンス測定装置及び電源シーケンス測定方法を提供する。【解決手段】アナログスイッチ３、ＡＤＣ４、シーケンス情報（ＲＯＭ：記憶手段に該当）７を有するＣＰＵ６、ＬＣＤ等５、データ保存メモリ（ＲＡＭ）８から構成され、アナログスイッチ３は、ＣＴＬ２からのアナログ入力の切り替えを繰り返し、アナログスイッチ３で選択されたアナログ入力に対してＡＤＣ４でＡ／Ｄ変換を行い、ＣＰＵ６に送るため、測定対象ごとのＡ／Ｄコンバータを必要とせず、Ａ／Ｄコンバータの数を減らすことができ、電源シーケンスの観測を行うための構成を簡素化することが出来る。【選択図】図１
2009033861.tif 000002
【特許請求の範囲】
【請求項１】
入力されたアナログデータをデジタルデータに変換するＡ／Ｄ変換手段と、
少なくとも１以上ある前記アナログデータのうち前記Ａ／Ｄ変換手段に送るアナログデータを切り替えて選択するアナログデータ切り替え手段と、
装置全般の制御を行う制御手段と、
前記Ａ／Ｄ変換手段によりデジタルデータに変換されたデータを測定データとして記憶する測定データ記憶手段と、を備えることを特徴とする電源シーケンス測定装置。
【請求項２】
前記アナログデータは、画像形成装置が備えるコントローラの電圧系であることを特徴とする請求項１記載の電源シーケンス測定装置。
【請求項３】
シーケンス情報を記憶する記憶手段と、
出力表示を行う表示手段と、
前記測定データを前記シーケンス情報と比較し、前記測定データのＯＫ／ＮＧ判定を行う判定手段と、を備え、
前記シーケンス情報は、各チャネルの所定の電圧レベル・タイミング情報であり、
前記表示手段は、前記判定手段による判定結果（ＯＫ／ＮＧ）を表示することを特徴とする請求項１又は２記載の電源シーケンス測定装置。
【請求項４】
前記判定手段は、逐次的に前記シーケンス情報と前記測定データを参照することで、ＮＧ判定を即座に知らせることを特徴とする請求項３記載の電源シーケンス測定装置。
【請求項５】
全てのチャネルの測定が終了したことを検知する検知手段を備え、
前記判定手段は、前記検知手段により全測定終了が検知された場合に、ＯＫ／ＮＧ判定を行うことを特徴とする請求項３記載の電源シーケンス測定装置。
【請求項６】
前記コントローラの主電源のＯＮ／ＯＦＦ制御を行うＯＮ／ＯＦＦ制御手段を備えることを特徴とする請求項２から５のいずれか１項記載の電源シーケンス測定装置。
【請求項７】
前記主電源のＯＮ／ＯＦＦ制御の間隔時間：Ｔを所定の時間に設定するＯＮ／ＯＦＦ制御時間設定手段を備えることを特徴とする請求項６記載の電源シーケンス測定装置。
【請求項８】
前記ＯＮ／ＯＦＦ制御手段は、主電源のＯＮ／ＯＦＦを切り替えることでアナログ入力をシーケンシャルに測定可能にすることを特徴とする請求項６又は７記載の電源シーケンス測定装置。
【請求項９】
前記ＯＮ／ＯＦＦ制御手段は、前記検知手段により全チャネル測定が終了したことを検知した場合は、主電源のＯＮ／ＯＦＦを行い連続的に二巡目以降の電源シーケンス測定を行うことを特徴とする請求項６から８のいずれか１項記載の電源シーケンス測定装置。
【請求項１０】
少なくとも１以上あるアナログデータのうちいずれを選択するステップと、
前記選択されたアナログデータをデジタルデータに変換するステップと、
前記デジタルデータを測定データとして記憶するステップと、を備えることを特徴とする電源シーケンス測定方法。
【請求項１１】
前記測定データを、予め記憶している各チャネルの所定の電圧レベル・タイミング情報から成るシーケンス情報と比較し、前記測定データのＯＫ／ＮＧ判定を行うステップと、
前記判定の結果（ＯＫ／ＮＧ）を表示するステップと、を備えることを特徴とする請求項１０記載の電源シーケンス測定方法。
【発明の詳細な説明】
【技術分野】
【０００１】
本発明は、電源シーケンス測定装置及び電源シーケンス測定方法に関し、特に複数の電圧系をもつコントローラの電源シーケンスの測定を行う電源シーケンス測定装置及び電源シーケンス測定方法に関する。
【背景技術】
【０００２】
従来の多チャンネル測定装置として、時間的な関係を持たない全く別々の複数の被測定対象を測定する場合を考慮し、最適なタイミングでそれぞれの被測定対象を測定する多チャンネル測定装置が知られている（例えば特許文献１参照）。また、チャンネル切り替えの際の処理時間を短縮し、処理性能を向上させた多チャンネルＡＤコンバータ読込方式が提案されている（例えば特許文献２参照）。被電源供給部において電源シーケンスの異常（低電圧あるいは過電圧の電源異常）を検出することにより、電源供給部から被電源供給部の間で発生した電源シーケンスの異常を検出できる電源シーケンス検出装置および電源シーケンス検出方法が提案されている（例えば特許文献３参照）。また、制御部と被制御部間で授受されるシーケンス制御用の制御信号および応答信号を確認する場合に、制御部または被制御部がそれぞれ単体であっても、前記授受の確認が可能なシーケンス評価装置が提案されている（例えば特許文献４参照）。
【０００３】
また、複数の電圧系を有する画像形成装置において、主電源ＯＮ時や省エネモードからの復帰の際にコントローラの各電圧系がそれぞれ順に立ち上がるが、設計したとおりの順番・タイミングで規定の電圧レベルに達しているかを確認しなければならない。その手段としてオシロスコープなどで測定するものがある。
【特許文献１】特開２００６−０７１４４５号公報
【特許文献２】特許第２５０７１４９号公報
【特許文献３】特開２０００−１８８８２９号公報
【特許文献４】特開２００４−２６４９７４号公報
【発明の開示】
【発明が解決しようとする課題】
【０００４】
しかしながら、上記のような技術には、以下の問題点がある。オシロスコープを使う場合、装置そのものが大掛かりで、環境設定が大変であり、利用方法も複雑である。加えて、オシロスコープのチャネル数は４チャネルの製品が多く、数十ものパターンの電圧系がある機器の各電圧を４チャネルずつ測定していくのでは莫大な工数を要し、作業も複雑である。また、測定結果のＯＫ／ＮＧの判定を人間が行うことで、判定ミスや人によって判定が割れてバラつきが生じ得るという問題がある。これらの問題解決は設計区のみならず、工場などの生産区をはじめとして、様々なシーンで求められている。また、上記多チャンネル測定装置は、複数の被測定対象についてそれぞれＡ／Ｄコンバータが必要となり、装置の構成が複雑になっていた。
【０００５】
本発明はこのような状況に鑑みてなされたものであり、複数の電圧系を有する装置のコントローラ全般に関して、大掛かりな装置・環境と莫大な手間を必要とするオシロスコープを用いずに、構成を簡素化したシステムで誰でも手軽・迅速に電源シーケンスの観測を可能とすることを目的としている。
【課題を解決するための手段】
【０００６】
請求項１記載の発明は、入力されたアナログデータをデジタルデータに変換するＡ／Ｄ変換手段と、少なくとも１以上ある前記アナログデータのうち前記Ａ／Ｄ変換手段に送るアナログデータを切り替えて選択するアナログデータ切り替え手段と、装置全般の制御を行う制御手段と、前記Ａ／Ｄ変換手段によりデジタルデータに変換されたデータを測定データとして記憶する測定データ記憶手段と、を備えることを特徴とする電源シーケンス測定装置である。
【０００７】
請求項２記載の発明は、請求項１記載の電源シーケンス測定装置において、前記アナログデータは、画像形成装置が備えるコントローラの電圧系であることを特徴とする。
【０００８】
請求項３記載の発明は、請求項１又は２記載の電源シーケンス測定装置において、シーケンス情報を記憶する記憶手段と、出力表示を行う表示手段と、前記測定データを前記シーケンス情報と比較し、前記測定データのＯＫ／ＮＧ判定を行う判定手段と、を備え、前記シーケンス情報は、各チャネルの所定の電圧レベル・タイミング情報であり、前記表示手段は、前記判定手段による判定結果（ＯＫ／ＮＧ）を表示することを特徴とする。
【０００９】
請求項４記載の発明は、請求項３記載の電源シーケンス測定装置において、前記判定手段は、逐次的に前記シーケンス情報と前記測定データを参照することで、ＮＧ判定を即座に知らせることを特徴とする。
【００１０】
請求項５記載の発明は、請求項３記載の電源シーケンス測定装置において、全てのチャネルの測定が終了したことを検知する検知手段を備え、前記判定手段は、前記検知手段により全測定終了が検知された場合に、ＯＫ／ＮＧ判定を行うことを特徴とする。
【００１１】
請求項６記載の発明は、請求項２から５のいずれか１項記載の電源シーケンス測定装置において、前記コントローラの主電源のＯＮ／ＯＦＦ制御を行うＯＮ／ＯＦＦ制御手段を備えることを特徴とする。
【００１２】
請求項７記載の発明は、請求項６記載の電源シーケンス測定装置において、前記主電源のＯＮ／ＯＦＦ制御の間隔時間：Ｔを所定の時間に設定するＯＮ／ＯＦＦ制御時間設定手段を備えることを特徴とする。
【００１３】
請求項８記載の発明は、請求項６又は７記載の電源シーケンス測定装置において、前記ＯＮ／ＯＦＦ制御手段は、主電源のＯＮ／ＯＦＦを切り替えることでアナログ入力をシーケンシャルに測定可能にすることを特徴とする。
【００１４】
請求項９記載の発明は、請求項６から８のいずれか１項記載の電源シーケンス測定装置において、前記ＯＮ／ＯＦＦ制御手段は、前記検知手段により全チャネル測定が終了したことを検知した場合は、主電源のＯＮ／ＯＦＦを行い連続的に二巡目以降の電源シーケンス測定を行うことを特徴とする。
【００１５】
請求項１０記載の発明は、少なくとも１以上あるアナログデータのうちいずれを選択するステップと、前記選択されたアナログデータをデジタルデータに変換するステップと、前記デジタルデータを測定データとして記憶するステップと、を備えることを特徴とする電源シーケンス測定方法である。
【００１６】
請求項１１記載の発明は、請求項１０記載の電源シーケンス測定方法において、前記測定データを、予め記憶している各チャネルの所定の電圧レベル・タイミング情報から成るシーケンス情報と比較し、前記測定データのＯＫ／ＮＧ判定を行うステップと、前記判定の結果（ＯＫ／ＮＧ）を表示するステップと、を備えることを特徴とする。
【発明の効果】
【００１７】
本発明によれば、複数の電圧系を有する装置のコントローラ全般に関して、大掛かりな装置・環境と莫大な手間を必要とするオシロスコープを用いずに、構成を簡素化したシステムで誰でも手軽・迅速に電源シーケンスの観測を可能となる。
【発明を実施するための最良の形態】
【００１８】
以下に、本発明の実施形態について図面を用いて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１９】
本発明の実施形態に係る電源シーケンス測定装置９の構成を図１に示す。アナログデータ切り替え手段であるアナログスイッチ３、Ａ／Ｄ変換手段であるＡＤＣ（Ａ／Ｄコンバータ）４、電源シーケンス測定装置全般の制御を行う制御手段であるＣＰＵ６、表示手段であるＬＣＤ等５、測定データ記憶手段であるデータ保存メモリ（ＲＡＭ）８から構成されている。なおＣＰＵ６は、シーケンス情報（ＲＯＭ：記憶手段に該当）７を有する。
【００２０】
本構成においてＣＴＬ（コントローラ）２からの入力をＡ／Ｄコンバータ（ＡＤＣ）４でＡ／Ｄ変換し、変換したデータをデータ保存メモリ８に保存する。
【００２１】
アナログスイッチ３は、ＣＴＬ２からのアナログ入力の切り替えを繰り返す。アナログスイッチ３で入力切り替えを繰り返す場合の一例を図２に示す。図２に示すように、アナログスイッチ３で選択されたアナログ入力に対してＡＤＣ４でＡ／Ｄ変換を行い、ＣＰＵ６に送られる。
【００２２】
上記実施形態によれば、測定対象の入力数（ＣＴＬ２からのアナログ入力）をアナログスイッチで切り替えてＡ／Ｄコンバータ４での変換を行うため、測定対象ごとのＡ／Ｄコンバータを必要とせず、Ａ／Ｄコンバータの数を減らすことができ、電源シーケンスの観測を行うための構成を簡素化することが出来る。なお、本実施形態に係る電源シーケンス測定装置の測定タイミングの一例を図７に示す。
【００２３】
また、アナログスイッチ３を切り替えることで、アナログ入力の切り替えを繰り返し、ＣＰＵ６が有するシーケンス情報７を参照しＯＫ／ＮＧを判定し（判定手段に該当）、ＬＣＤ等５に表示/出力することも考え得る。
【００２４】
上記実施形態によれば、ＯＫ／ＮＧ判定を自動的に行い、人間が判定する工程が無いため、判定のばらつきやミスが無くなり、作業工数を減らして誰でも簡単に電源シーケンスを測定することができる。
【００２５】
上記ＯＫ／ＮＧ判定、出力のタイミングについては他の実施形態として以下説明する。具体的には、サンプルごとに逐次的、または全チャネル測定が終わった場合に実行する２種類が考え得る。
【００２６】
まず、逐次的に判定結果の出力を行う実施形態について図３を用いて説明する。図３は本実施形態の動作処理を示すフローチャートである。
【００２７】
主電源（例えばＣＴＬ２が備える）をＯＮし、Ａ／Ｄコンバータ４でＡ／Ｄ変換を行い、データをデータ保存メモリ８に保存する（ステップＳ１）。ＣＰＵ６が有するシーケンス情報７を参照しＯＫ／ＮＧ判定を行う（ステップＳ２）。判定結果を、例えばＬＣＤ等５に表示/出力する（ステップＳ３）。その結果がＯＫ判定で（ステップＳ４／Ｙｅｓ）かつ、全ての測定が終了した場合（ステップＳ５／Ｙｅｓ）は、測定終了する。
【００２８】
一方、結果がＯＫ判定でも（ステップＳ４／Ｙｅｓ）、測定が完了していないならば（ステップＳ５／Ｎｏ）アナログスイッチ３を切り替えて（ステップＳ６）、測定を行う（ステップＳ２）。判定結果がＮＧの場合は（ステップＳ４／Ｎｏ）、即測定終了する。
【００２９】
上記実施形態によれば、逐次的に判定結果が出力されるため、全てのアナログ入力の測定が終了するまで待つことなく、最初のエラー発生時（測定結果：ＮＧ）にリアルタイムで即座にＯＫ／ＮＧ判定を知ることが出来る。
【００３０】
次に、全チャンネル測定後に判定結果を出力する実施形態について図４を用いて説明する。図４は本実施形態の動作処理を示すフローチャートである。
【００３１】
主電源（例えばＣＴＬ２が備える）をＯＮし、Ａ／Ｄコンバータ４でＡ／Ｄ変換を行い、データをデータ保存メモリ８に保存する（ステップＳ１０）。全ての測定が終了した場合（ステップＳ１１／Ｙｅｓ）、ＣＰＵ６が有するシーケンス情報７を参照し、ＯＫ／ＮＧ判定を行う（ステップＳ１２）。判定結果を例えばＬＣＤ等５に表示/出力し（ステップＳ１３）、終了する。
【００３２】
一方、測定が完了していない場合は（ステップＳ１１／Ｎｏ）、アナログスイッチ３を切り替えて（ステップＳ１４）、測定を行う（ステップＳ１０）。
【００３３】
上記実施形態によれば、測定を全て終えてから判定を行うことにより、測定と判定のタイミングの動作処理を分け、ＣＰＵの処理を片方に集中させることが出来、測定と判定の２つの処理を並行して行う場合に比べ、判定の処理分が減り、サンプリング間隔の最小値を短くすることができ、より細かいサンプルを得ることが出来る。
【００３４】
次に、主電源（例えばＣＴＬ１３が備える）を自動でＯＮ／ＯＦＦし、そのタイミングも設定できる電源シーケンス測定装置について図５を用いて説明する。図５は本実施形態に係る電源シーケンス測定装置１９の構成図である。
【００３５】
図１に示す電源シーケンス測定装置９と異なり、主電源（ＣＴＬ１３）への電源供給がＯＮ／ＯＦＦ制御部１５（電源シーケンス測定装置１９側ＣＰＵ１０）に制御される。
【００３６】
上記実施形態によれば、主電源ＯＮ／ＯＦＦを電源シーケンス測定装置１９側で制御するため、ＯＮ／ＯＦＦのタイミングを、所望のタイミングに正確に合わせて電源シーケンスを測定することが出来る。
【００３７】
また、上記電源ＯＮ／ＯＦＦ間隔：Ｔ（time）について、条件を変え、様々なＯＮ／ＯＦＦタイミングで電源シーケンスを観測することで、評価内容が深まり、コントローラの信頼性を高めることが出来る。
【００３８】
次に、本発明の他の実施形態に係る電源シーケンス測定装置の動作処理を図６のフローチャートを用いて説明する。
【００３９】
主電源（ＣＴＬ１３）をＯＮし、Ａ／Ｄコンバータ１７でＡ／Ｄ変換を行い、データをデータ保存メモリ１２に保存する（ステップＳ２０）。設定した数巡分の測定が終了した場合は（ステップＳ２１、Ｓ２２／Ｙｅｓ）、ＣＰＵ１０が有するシーケンス情報１１を参照し、ＯＫ／ＮＧ判定を行う（ステップＳ２３）、判定結果をＬＣＤ等１４に表示/出力し（ステップＳ２４）終了する。
【００４０】
一巡分すら測定が終わってない場合は（ステップＳ２１／Ｎｏ）、主電源（ＣＴＬ１３）をＯＦＦし（ステップＳ２９）、アナログスイッチ１６を切り替え（ステップＳ３０）、主電源（ＣＴＬ１３）のＯＦＦ後から設定間隔後に再び主電源（ＣＴＬ１３）をＯＮし（ステップＳ３１）、ステップＳ２０へもどる。
【００４１】
全チャネル測定終了はしたが、設定回数分（ｍ巡分）測定終了しておらず、測定完了でない場合は（ステップＳ２２／Ｎｏ）、主電源（ＣＴＬ１３）をＯＦＦし（ステップＳ２５）、アナログスイッチ１６を切り替え（ステップＳ２６）、電源ＯＮ／ＯＦＦの切り替え間隔を再度設定し（ステップＳ２７）、主電源（ＣＴＬ１３）のＯＦＦ後から設定間隔後に再び主電源（ＣＴＬ１３）をＯＮし（ステップＳ２８）、ステップＳ２へもどる。本実施形態に係る電源シーケンス測定装置の測定タイミングの一例を図８に示す。
【００４２】
上記実施形態によれば、主電源ＯＮ／ＯＦＦにあわせて測定するチャネルを切り替えることでシーケンシャルに測定できるため、最低限１チャネルのＡ／Ｄコンバータ一つでも多チャネルの電源シーケンスを測定でき、また、完全に同じ時系列で測定することが出来る。
【００４３】
また、上記実施形態によれば、主電源のＯＮ／ＯＦＦと連動して一巡目が終わった後に、二巡目、三巡目…と連続してエラーの有無を自動で検知することができる。
【００４４】
なお、各図のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４５】
以上、本発明を好適な実施形態に基づき具体的に説明したが、本発明は上記のものに限定されるものではなく、その要旨を逸脱しない範囲で種々変更可能であることは言うまでもない。
【図面の簡単な説明】
【００４６】
【図１】本発明の実施形態に係る電源シーケンス測定装置の構成図である。
【図２】本発明の実施形態に係るアナログスイッチ３で入力切り替えを行うことを説明するための図である。
【図３】本発明の実施形態に係る電源シーケンス測定装置の動作処理を示すフローチャートである。
【図４】本発明の実施形態に係る電源シーケンス測定装置の動作処理を示すフローチャートである。
【図５】本発明の実施形態に係る電源シーケンス測定装置の構成図である。
【図６】本発明の実施形態に係る電源シーケンス測定装置の動作処理を示すフローチャートである。
【図７】本発明の実施形態に係る電源シーケンス測定装置の測定タイミングの一例を示す図である。
【図８】本発明の実施形態に係る電源シーケンス測定装置の測定タイミングの一例を示す図である。
【符号の説明】
【００４７】
１    ＡＣアダプタ
２、１３    ＣＴＬ（コントローラ）
３、１６    アナログスイッチ
４、１７    ＡＤＣ（Ａ／Ｄコンバータ）
５、１４    ＬＣＤ等
６、１０    ＣＰＵ
７、１１    シーケンス情報（ＲＯＭ）
８、１２    データ保存メモリ（ＲＡＭ）
９、１９    電源シーケンス測定装置
１５    ＯＮ／ＯＦＦ制御部
【図１】
2009033861.tif 000003
【図２】
2009033861.tif 000004
【図３】
2009033861.tif 000005
【図４】
2009033861.tif 000006
【図５】
2009033861.tif 000007
【図６】
2009033861.tif 000008
【図７】
2009033861.tif 000009
【図８】
2009033861.tif 000010